(57)【特許請求の範囲】
【請求項１】
光受信機の筐体であって、
光ケーブルを介して伝送された光信号を電気信号に変換して出力する変換部と、前記変換部に電源を供給する電源部とが収納される本体空間を有する本体部と、
前記本体部に開閉自在に固着される蓋部と、
前記本体部に前記蓋部が固着されて形成される収納ケースの内部の収納空間に収納され、前記光ケーブルの余長を収納するトレイと、
前記収納空間と外部とを隔てる前記収納ケースの外壁面に形成されている、前記電源部に接続された電源ケーブルを引き出すための挿通口と、
前記トレイと一体形成され、かつ、前記トレイが前記収納空間に収納された状態において、前記トレイとの接続部位を軸として、前記挿通口を覆う被覆位置から前記挿通口を開放する開放位置まで回動自在に形成された防水カバー片と、を備えることを特徴とする光受信機の筐体。
【請求項２】
前記トレイ及び前記防水カバー片は、合成樹脂により形成されていることを特徴とする請求項１に記載の光受信機の筐体。
【請求項３】
前記トレイは、前記防水カバー片を前記開放位置で保持する保持部を有し、
前記防水カバー片は、前記被覆位置では前記挿通口に嵌合し、前記開放位置では前記保持部に嵌合する形状を有することを特徴とする請求項１又は２に記載の光受信機の筐体。
【請求項４】
前記トレイは、前記光ケーブルを前記トレイの内部に引き込むための引込口と、前記引込口に連通して前記光ケーブルを挟持する挟持溝とを有し、
前記挟持溝の幅方向において、前記引込口に対して前記挟持溝の位置がずれていることを特徴とする請求項１〜３のいずれか１項に記載の光受信機の筐体。
【請求項５】
前記挟持溝は、前記挟持溝の幅方向に複数並べて設けられており、
前記引込口の数は前記挟持溝の数よりも少ないことを特徴とする請求項４に記載の光受信機の筐体。
【発明の詳細な説明】
【技術分野】
【０００１】
本発明は、光ケーブルを介して伝送された光信号を電気信号に変換する変換部と、光ケーブルの余長を収納するトレイとを内蔵する光受信機の筐体に関する。
【背景技術】
【０００２】
近年、放送局等から光ケーブルを介して伝送された光信号を受信して、テレビ放送信号等の電気信号に復調する光受信機が普及している。一般的に、このような光受信機は、光信号を電気信号に変換する変換部と、変換部に電源を供給する電源部と、光ケーブルの余長を収納するトレイと、これらを収納するケースとを備える。そして、このような光受信機は、ケースの一面に、変換部の同軸端子を突出させる端子口と、電源部に接続された電源ケーブルを引き出すための挿通口が設けられている。
【０００３】
上記光受信機を屋内及び屋外のいずれに設置する場合も、同じケース及びトレイを用いる。ただし、光受信機を屋外に設置する場合、安全のため電源部はケースから取り出して屋内に設置する。この場合、変換部の同軸端子と電源部の同軸端子とを同軸ケーブルで接続し、同軸ケーブルを介して電源部から変換部に電源を供給するので、電源ケーブル用の挿通口は開いた状態となる。開いた挿通孔から雨水等が浸入すると、光受信機の故障の原因となることがある。
【０００４】
そこで、特許文献１に記載の光受信機は、ケースにスライド部を設けて、スライド片をスライドさせて挿通口を開閉できるようにし、ケース内から電源部を取り出して使用する場合は、スライド片で挿通口を塞いで防水を行っている。
【先行技術文献】
【特許文献】
【０００５】
【特許文献１】特開２０１５−１２２４５４号公報
【発明の概要】
【発明が解決しようとする課題】
【０００６】
しかしながら、上記光受信機は、ケースやトレイとは別の部材として、スライド片を製造しなければならないため、部品数が増加し、ひいては、光受信機の製造工程数や製造コストが増加するという問題がある。
【０００７】
本発明は、上記実情に鑑みてなされたものであり、部品数を増加させることなく、防水を行うことができる光受信機の筐体を提供することを主たる目的とする。
【課題を解決するための手段】
【０００８】
請求項１に記載の発明は、光受信機の筐体であって、
光ケーブルを介して伝送された光信号を電気信号に変換して出力する変換部と、前記変換部に電源を供給する電源部とを収納する本体空間を有する本体部と、
前記本体部に開閉自在に固着される蓋部と、
前記本体部に前記蓋部が固着されて形成される収納ケースの内部の収納空間に収納され、前記光ケーブルの余長を収納するトレイと、
前記収納空間と外部とを隔てる前記収納ケースの外壁面に形成されている、前記電源部に接続された電源ケーブルを引き出すための挿通口と、
前記トレイと一体形成され、かつ、前記トレイが前記収納空間に収納された状態において、前記トレイとの接続部位を軸として、前記挿通口を覆う被覆位置から前記挿通口を開放する開放位置まで回動自在に形成された防水カバー片と、を備えることを特徴とする。
【０００９】
また、請求項２に記載の発明は、請求項１に記載の光受信機の筐体において、
前記トレイ及び前記防水カバー片は、合成樹脂により形成されていることを特徴とする。
【００１０】
また、請求項３に記載の発明は、請求項１又は２に記載の光受信機の筐体において、
前記トレイは、前記防水カバー片を前記開放位置で保持する保持部を有し、
前記防水カバー片は、前記被覆位置では前記挿通口に嵌合し、前記開放位置では前記保持部に嵌合する形状を有することを特徴とする。
【００１１】
また、請求項４に記載の発明は、請求項１〜３のいずれか１項に記載の光受信機の筐体において、
前記トレイは、前記光ケーブルを前記トレイの内部に引き込むための引込口と、前記引込口に連通して前記光ケーブルを挟持する挟持溝とを有し、
前記挟持溝の幅方向において、前記引込口に対して前記挟持溝の位置がずれていることを特徴とする。
【００１２】
また、請求項５に記載の発明は、請求項４に記載の光受信機の筐体において、
前記挟持溝は、前記挟持溝の幅方向に複数並べて設けられており、
前記引込口の数は前記挟持溝の数よりも少ないことを特徴とする。
【発明の効果】
【００１３】
本発明の光受信機の筐体は、トレイと一体的に防水カバー片が形成されており、防水カバー片がトレイとの接続部位を軸として回動することで挿通口が開閉する。よって、部品数を増加させることなく、光受信機の筐体の防水を行うことができる。
【００１４】
また、請求項２に記載の光受信機の筐体によれば、トレイ及び防水カバー片は合成樹脂により形成されているため、トレイと防水カバー片との接続部位を軟らかくし、接続部位を軸として防水カバー片を容易に回動させることができる。
【００１５】
また、請求項３に記載の光受信機の筐体によれば、電源部が本体部から取り出されている場合には、防水カバー片が挿通口と嵌合することで挿通口が閉じられ、防水を行うことができる。一方、電源部が本体部に収納されている場合には、防水カバー片がトレイに形成された保持部と嵌合することで、防水カバー片の妨害を受けることなく、挿通口に電源ケーブルを通すことができる。
【００１６】
また、請求項４に記載の光受信機の筐体によれば、引込口の位置に対して、挟持溝の位置がずれているため、引込口から雨水等が浸入しても、挟持溝の側壁で跳ね返され、挟持溝を伝って内部に浸入しにくい。よって、防水性を向上させることができる。
【００１７】
また、請求項５に記載の光受信機の筐体によれば、挟持溝の数よりも引込口の数を少なくした、すなわち、光ケーブルの数よりも引込口を少なくしたことにより、引込口から挟持溝への雨水等の浸入がより抑制される。よって、防水性をさらに向上させることができる。
【図面の簡単な説明】
【００１８】
【図１】光受信機の筐体の外観を示す斜視図である。
【図２】光ファイバートレイの外観を示す斜視図である。
【図３】光ファイバートレイの光ケーブル保持部の拡大図である。
【図４】光ファイバートレイのＩＶ−ＩＶ断面図である。
【図５】屋外使用時における、防水カバー片がケース本体部の挿通口に嵌合している状態を示す図である。
【図６】屋外使用時における、蓋を外した状態の光受信機の筐体の外観を示す斜視図である。
【図７】屋外使用時の光受信機の筐体の前面を示す図である。
【図８】屋外使用時の光受信機の筐体のＶＩＩＩ−ＶＩＩＩ断面図である。
【図９】屋内使用時における、防水カバー片がトレイの保持部に嵌合している状態を示す図である。
【図１０】屋内使用時における、蓋を外した状態の光受信機の筐体の外観を示す斜視図である。
【図１１】屋内使用時の光受信機の筐体の前面を示す図である。
【図１２】屋内使用時の光受信機の筐体のＸＩＩ−ＸＩＩ断面図である。
【発明を実施するための形態】
【００１９】
以下、図面を参照しながら、発明を実施するための形態を説明する。
＜構成＞
まず、本実施形態に係る光受信機の筐体である筐体１００の全体構成について、図１を参照して説明する。筐体１００は、ケース本体部２０と、ケース本体部２０に開閉自在に固着されるケースカバー部１０と、光ケーブルの余長を収納する光ファイバートレイ３０と、を備える。ここでは、ケース本体部２０の深さ方向をｘ方向、ケース本体部２０の長手方向をｙ方向、ケース本体部２０の短手方向をｚ方向とし、ｘ方向を筐体１００の上下方向、ｙ方向を筐体１００の前後方向、ｚ方向を筐体１００の左右方向とする。
【００２０】
ケース本体部２０及びケースカバー部１０は、樹脂成形により製造される。ケース本体部２０は、矩形状となっている底面の４辺の各縁部から略直立に起立する４枚の外壁面２１Ａ〜２１Ｄを備え、上面が開口された箱形状に形成されている。図１では、外壁面２１Ｃ，２１Ｄは示されていないが、外壁面２１Ｄは外壁面２１Ｂと対向する面であり、外壁面２１Ｃは外壁面２１Ａと対向し外壁面２１Ｃ及び外壁面２１Ｄに挟まれた面である。
【００２１】
ケース本体部２０は、図１２に示すように、箱形状の内部に、光ケーブルを介して伝送された光信号を電気信号に変換して出力する変換部６０と、変換部６０に電源を供給する電源部７０とを収納する本体空間ＳＢを有する。筐体１００と変換部６０と電源部７０とから光受信機が構成される。一般に、光受信機を屋内に設置する場合、図１２に示すように、ケース本体部２０の本体空間ＳＢに、変換部６０及び電源部７０を収納して使用する。一方、光受信機を屋外に設定する場合、図８に示すように、本体空間ＳＢには変換部６０のみを収納し、電源部７０は本体空間ＳＢから取り出して使用する。
【００２２】
外壁面２１のうちの前方の面である外壁面２１Ａには、端子口２３，２４が形成されている。端子口２３，２４は、それぞれ、変換部６０の出力用の同軸端子６１，出力検査用の同軸端子６２を外部へ突出させる孔である。端子口２３，２４は同軸端子６１，６２により常に塞がれている。また、図５に示すように、外壁面２１Ａの右端側には、下側に凹んだ切欠部２２ａが形成されている。
【００２３】
さらに、外壁面２１Ａには、光ケーブルを筐体１００の内部に通すための光ケーブル導入口２５が形成されている。また、外壁面２１Ａには、入力する光信号及び出力する電気信号の信号レベルの状態を色で表示する表示灯２６が埋め込まれている。さらに、外壁面２１Ａの下端には、４つの取付片２７が突出するように形成されている。取付片２７には、螺子孔が形成されており、螺子孔に螺子を挿通して家屋の壁等に固着することにより、家屋の壁等に光受信機が設置される。なお、光受信機を屋外の壁等に設置する場合は、外壁面２１Ａを地面に向けて設置することが望ましい。
【００２４】
ケースカバー部１０は、矩形状の上面の４辺の各縁部から略直立に起立する４枚の外壁面１１Ａ〜１１Ｄを備え、底面が開口された箱形状に形成されている。外壁面１１Ｂ〜１１Ｄは、それぞれケース本体部２０の外壁面２１Ｂ〜２１Ｄを覆うような深い壁に形成されており、外壁面１１Ａは、外壁面２１Ａの上に配置されるような低い壁に形成されている。なお、図１では、外壁面１１Ｃ，１１Ｄは示されていないが、外壁面１１Ｄは外壁面１１Ｂと対向する面であり、外壁面１１Ｃは外壁面１１Ａと対向し外壁面１１Ｂ及び外壁面１１Ｄに挟まれた面である。
【００２５】
外壁面１１Ａの右端側は、下側に延伸しており、この延伸した部分に上側に凹んだ切欠部２２ｂが形成されている。切欠部２２ｂは、ｚ軸方向において外壁面２１Ａに形成された切欠部２２ａに対応する位置に形成されている。
【００２６】
外壁面１１Ｂ，１１Ｄの後端側には、軸孔１４が形成されている。また、ケース本体部２０の左右の外壁面２１Ｂ，２１Ｄには、軸孔１４に対応する位置に断面円形の突起である枢軸１２が形成されている。この枢軸１２に、軸孔１４が嵌め込まれることにより、ケース本体部２０に対してケースカバー部１０が開閉自在に取り付けられる。
【００２７】
そして、ケースカバー部１０の上面の前端側から延伸した延伸部には螺子孔１３が形成されており、螺子孔１３に螺子が挿通されてケース本体部２０にケースカバー部１０が固着される。ケース本体部２０にケースカバー部１０を固着すると収納ケースが形成される。形成された収納ケースでは、ケース本体部２０の外壁面のうち、外壁面２１Ａのみが露出した状態となる。そして、外壁面２１Ａと外壁面１１Ａとが組み合わされると、切欠部２２ａの凹み部分と切欠部２２ｂの凹み部分とが対向して、挿通口２２が形成される。
【００２８】
挿通口２２は、電源部７０の電源ケーブル７１を本体空間ＳＢから外部へ引き出すための孔である。挿通口２２は、電源部７０をケース本体部２０に収納して使用する場合は、電源ケーブル７１により塞がれるが、電源部７０をケース本体部２０から取り出して使用する場合は、開いた状態となる。本実施形態では、ケースカバー部１０が蓋部、ケース本体部２０が本体部に相当する。また、外壁面２１Ａ〜２１Ｄ及び外壁面１１Ａ〜１１Ｄとの組み合わせが、収納空間ＳＡと外部とを隔てる収納ケースの外壁面に相当する。
【００２９】
光ファイバートレイ３０は、ポリプロピレン等の軟らかい合成樹脂で形成されている。光ファイバートレイ３０は、図２に示すように、矩形状の底面の左右両側の２辺と後側の１辺の各縁部から略直立に起立する３枚の外壁面３２Ｂ〜３２Ｄを備え、上面及び前面が開口された形状に形成されている。光ファイバートレイ３０は、ケース本体部２０に収納された変換部６０及び電源部７０の上側、すなわちケースカバー部１０側に設置され、ケース本体部２０にケースカバー部１０が固着されて形成された収納ケースの内部の収納空間ＳＡに収納される。収納空間ＳＡは、本体空間ＳＢを内包し、変換部６０と電源部７０とトレイ３０を収納する容積を有する。なお、図１では、便宜上、光ファイバートレイ３０の形状は簡略化されている。
【００３０】
光ファイバートレイ３０の後側の外壁面３２Ｃは、両端が湾曲しており、湾曲部の左右に外壁面３２Ｂ及び３２Ｄが接続されている。外壁面３２Ｂ〜３２Ｄで囲まれた内部には、底面３８から立設された壁状のガイド部３７が複数設けられている。筐体１００内に引き込まれた光ケーブの余長は、ガイド部３７に巻回されて収納される。
【００３１】
また、光ファイバートレイ３０の前端側には、防水カバー片４０と、ケーブルクリップ５０が、光ファイバートレイ３０と同じ合成樹脂で、光ファイバートレイ３０と一体的に形成されている。さらに、光ファイバートレイ３０の後端側には、可動域制限部３５が光ファイバートレイ３０と一体的に形成されている。
【００３２】
防水カバー片４０は、開口した光ファイバートレイ３０の前端、かつ、ｚ軸方向において挿通口２２に対応する位置から延伸されて形成されている。防水カバー片４０は、薄肉部４３と、第１嵌合部４２と、第２嵌合部４１とを備える。
【００３３】
薄肉部４３は、防水カバー片４０のその他の部分や光ファイバートレイ３０よりも薄く形成されており、光ファイバートレイ３０と防水カバー片４０との接続部位となっている。防水カバー片４０は、光ファイバートレイ３０が収納空間ＳＡに収納された状態において、薄肉部４３を軸として、挿通口２２を覆う被覆位置から挿通口２２を開放する開放位置まで回動自在に形成されている。被覆位置は、底面３８に対して下側に９０°回動した位置であり、開放位置は、底面３８に対して上側に９０°回動した位置である。すなわち、防水カバー片４０は、薄肉部４３を軸として、１８０°の範囲を回動するように形成されている。
【００３４】
第１嵌合部４２は、防水カバー片４０を底面３８に対して平行にした状態において、防水カバー片４０の底面から上側に突起した凸部である。また、第１嵌合部４２は、被覆位置において、その鉛直断面の形状が挿通口２２の形状と一致するように形成されている。
【００３５】
第２嵌合部４１は、防水カバー片４０の底面から外壁面３２Ｂ側に突出した突出片である。一方、外壁面３２Ｂには、その前端に、防水カバー片４０を開放位置で保持する保持部３１が形成されている。第２嵌合部４１は、開放位置において、保持部３１に嵌合する形状に形成されている。
【００３６】
次に、ケーブルクリップ５０の拡大図を図３に示す。ケーブルクリップ５０は、開口した光ファイバートレイ３０の前端、かつ、光ファイバートレイ３０を収納空間ＳＡに収納した状態において、光ケーブル導入口２５に重なる位置に形成されている。ケーブルクリップ５０は、光ケーブルを光ファイバートレイ３０の内部に引き込むための引込口５１と、引込口５１に連通して光ケーブルを挟持する挟持溝５３と、挟持溝５３に挟持された光ケーブルを押さえるケーブルストッパー５５とを有する。
【００３７】
引込口５１は、２つの引込口５１Ａ，５１Ｂから構成されている。引込口５１Ａ，５１Ｂは、光ファイバートレイ３０の前端に、外壁面３２Ｄ側から立設した前板５９に設けられた２つの孔である。孔の内側は、３つの仕切壁５２Ａ〜５２Ｃにより、２つの孔に対応した２つの空間に仕切られている。
【００３８】
挟持溝５３は、４つの挟持溝５３Ａ〜５３Ｄから構成されている。挟持溝５３Ａ〜５３Ｄは、５つの仕切壁５４〜５４Ｅで仕切られて４つの溝となっている。ここでは、ｘ軸方向を挟持溝５３の深さ方向、ｙ軸方向を挟持溝５３の長さ方向、ｚ軸方向を挟持溝５３の幅方向とする。
【００３９】
仕切壁５４Ａ，５４Ｃ，５４Ｅは、それぞれ仕切壁５２Ａ，５２Ｂ，５２Ｃと連続しており、仕切壁５４Ｂは、仕切壁５４Ａと仕切壁５４Ｃとの間に設置され、仕切壁５４Ｄは、仕切壁５４Ｃと仕切壁５４Ｅとの間に設置されている。そして、仕切壁５４Ａと仕切壁５４Ｂ、仕切壁５４Ｂと仕切壁５４Ｃ、仕切壁５４Ｃと仕切壁５４Ｄ、仕切壁５４Ｄと仕切壁５４Ｅで仕切られた溝がそれぞれ、挟持溝５３Ａ、５３Ｂ、５３Ｃ、５４Ｄとなっている。すなわち、引込口５１Ａは挟持溝５３Ａ，５３Ｂに連通し、引込口５１Ｂは挟持溝５３Ｃ，５３Ｄに連通している。そして、挟持溝５３Ａ，５３Ｃの底面が底面３８と同じ面に形成されているのに対して、挟持溝５３Ｂ，５３Ｄの溝の底面は底面３８よりも高い位置に形成されている。
【００４０】
挟持溝５３は、挟持溝５３の幅方向に複数並べて設けられているとともに、引込口５１は、挟持溝５３よりも少ない数に形成されている。そして、引込口５１Ａ，５１Ｂのｙ軸方向の延長線上には、それぞれ仕切壁５４Ｂ，５４Ｄが設置されている。よって、挟持溝５３の幅方向において、引込口５１Ａ，５１Ｂに対して、挟持溝５３Ａ〜５３Ｄの位置がずれている。すなわち、引込口５１Ａ，５１Ｂのｙ軸方向の軸線と、挟持溝５３Ａ〜５３Ｄのｙ軸方向の軸線とはずれている。よって、引込口５１Ａから内部へ引き込んだ光ケーブルを、挟持溝５３Ａ及び挟持溝５３Ｂのどちらで挟持する場合でも、光ケーブルは、ｙｚ平面上で蛇行した状態で挟持される。同様に、引込口５１Ｂから内部へ引き込んだ光ケーブルを、挟持溝５３Ｃ及び挟持溝５３Ｄのどちらで挟持する場合でも、光ケーブルは、ｙｚ平面上で蛇行した状態で挟持される。
【００４１】
本実施形態では、光ケーブルとして、図３に破線で示すドロップケーブル８１Ａ，８１Ｂと、鎖線で示すφ３光ケーブル８２Ａ，８２Ｂの４本を使用する。ドロップケーブル８１Ａ，８１Ｂは、断面が長方形状の光ケーブルであり、長手方向がｘ軸方向となるように挟持され、データ信号の伝送に用いられる。φ３光ケーブル８２Ａ，８２Ｂは、断面が略円形状の光ケーブルであり、テレビ信号の伝送に用いられる。引込口５１Ａは、挟持溝５３の深さ方向に、ドロップケーブル８１Ａとφ３光ケーブル８２Ａが重ねて挿入される長さに形成されている。引込口５１Ｂも同様に形成されている。ドロップケーブル８１Ａ及びφ３光ケーブル８２Ａは、引込口５１Ａから内部に引き込まれ、ドロップケーブル８１Ａが挟持溝５３Ａで挟持されるとともに、φ３光ケーブル８２Ａが挟持溝５３Ｂで挟持される。ドロップケーブル８１Ｂ及びφ３光ケーブル８２Ｂも同様である。そして、挟持溝５３Ａ〜５３Ｄで挟持されたドロップケーブル８１Ａ，８１Ｂ及びφ３光ケーブル８２Ａ，８２Ｂは、ケーブルストッパー５５により押さえられて固定される。本実施形態では、ドロップケーブル８１Ａとφ３光ケーブル８２Ａとが重ねて固定される例を説明したが、ドロップケーブ８１Ａとφ３光ケーブル８２Ａを同時に使用しない場合は、どちらか一方を引込口５１Ａから挿入して固定できるようになっていればよい。ドロップケーブ８１Ｂとφ３光ケーブル８２Ｂについても同様である。
【００４２】
ケーブルストッパー５５は、仕切壁５４Ａから延伸された矩形状の板部材として形成されており、薄肉部５８と、突起部５１１と、嵌合部５６ａ，５７ａとを備える。薄肉部５８は、ケーブルストッパー５５のその他の部分よりも薄く形成されており、ケーブルストッパー５５と仕切壁５４Ａとの接続部位となっている。ケーブルストッパー５５は、薄肉部５８を軸として、挟持溝５３の上部に被さった位置から、挟持溝５３上部を開いた位置まで回動自在に形成されている。
【００４３】
突起部５１１は、ｙ軸方向に伸びた細長い４つの突起から構成されている。各突起は、ケーブルストッパー５５が挟持溝５３の上側に被さった状態において、挟持溝５３Ａ〜５３Ｄに合致し、挟持溝５３に挟持されている光ケーブルを下向きに押さえる。嵌合部５６ａ，５７ａは、ケーブルストッパー５５が挟持溝５３の上側に被さった状態において、それぞれ、仕切壁５４Ｅから突出する嵌合部５６ｂ，５７ｂに嵌合する。ケーブルストッパー５５を挟持溝５３の上側に被せて、嵌合部５６ａ，５７ａを嵌合部５６ｂ，５７ｂと嵌合することによって、挟持溝５３に挟持された光ケーブルが溝から抜けないように保持される。
【００４４】
次に、可動域制限部３５の構成を図４に示す。図４は、光ファイバートレイ３０の防水カバー片４０を通る線で切断したｘｙ断面図である。可動域制限部３５は、光ファイバートレイ３０の後端側から突起し、断面がＶ字形状に形成された突起部である。可動域制限部３５は、光ファイバートレイを収納空間ＳＡに収納した状態において、本体空間ＳＢの電源部７０の後面と外壁面２１Ｃとの隙間Ｓに挿入され、電源部７０の可動域を制限する。
【００４５】
＜屋外使用＞
光受信機を屋外に設置する場合、本体空間ＳＢから電源部７０を取り出して使用する。図５に屋外使用時における筐体１００の挿通口２２付近の拡大図を示し、図６に屋外使用時におけるケースカバー部１０を外した状態の筐体１００の外観を示す。図５及び図６に示すように、屋外使用の場合は、防水カバー片４０を被覆位置まで回動させて、挿通口２２に第１嵌合部４２を嵌合させる。これにより、防水カバー片４０が被覆位置で保持されるとともに、挿通口２２が塞がれる。
【００４６】
また、図７に屋外使用時における筐体１００の前面図を示し、図８に屋外使用時における筐体１００の挿通口２２を通る線で切断したｘｙ断面図を示す。図８に示すように、屋外使用の場合は、本体空間ＳＢの前側部分には変換部６０が収納され、電源部７０が収納される本体空間ＳＢの後側部分は空いた状態となっている。
【００４７】
屋外使用時では、変換部６０の同軸端子６１と電源部７０の同軸端子とを同軸ケーブルで接続し、同軸ケーブルを介して電源部７０から変換部６０に電源が供給される。また、同軸端子６１から出力される電気信号は、同軸ケーブル及び電源部７０を介してテレビに伝送される。
【００４８】
＜屋内使用＞
光受信機を屋内に設置する場合、本体空間ＳＢに電源を収納して使用する。図９に屋内使用時における筐体１００の挿通口２２付近の拡大図を示し、図１０に屋内使用時におけるケースカバー部１０を外した状態の筐体１００の外観を示す。図９及び図１０に示すように、屋内使用の場合は、防水カバー片４０を開放位置まで回動させて、保持部３１に第２嵌合部４１を嵌合させる。これにより、防水カバー片４０が、電源ケーブル７１の挿通口２２への挿通を妨げることがない。
【００４９】
また、図１１に屋内使用時における筐体１００の前面図を示し、図１２に屋内使用時における筐体１００の挿通口２２を通る線で切断したｘｙ断面図を示す。図１２に示すように、屋内使用の場合は、本体空間ＳＢの前側部分に変換部６０が収納され、本体空間ＳＢの後側部分に変換部６０に当接して電源部７０が収納されている。そして、本体空間ＳＢの電源部７０と外壁面２１Ｃとの隙間Ｓに可動域制限部３５が挿入されている。これにより、電源部７０の後方向への動きが制限され、電源部７０は前方向すなわち変換部６０の方向へ押し付けられる。よって、変換部６０と電源部７０との接続が強固に維持される。
【００５０】
屋内使用時では、本体空間ＳＢに収納された電源部７０の給電端子が、変換部６０の受電端子に接続されている。そして、電源ケーブル７１、給電端子及び受電端子を介して、電源部７０から変換部６０に電源が供給される。また、同軸端子６１から出力される電気信号は、同軸ケーブルを介してテレビに伝送される。
【００５１】
＜効果＞
以上詳述した本実施形態によれば、以下の効果が得られる。
（１）光ファイバートレイ３０と一体的に防水カバー片４０が形成されており、防水カバー片４０が薄肉部４３を軸として回動することで挿通口２２が開閉する。よって、部品数を増加させることなく、筐体１００の防水を行うことができる。
【００５２】
（２）光ファイバートレイ３０及び防水カバー片４０は、軟らかい合成樹脂により形成されているため、薄肉部４３を軸として防水カバー片４０を容易に回動させることができる。
【００５３】
（３）電源部７０が本体空間ＳＢから取り出されている場合には、防水カバー片４０が挿通口２２と嵌合することで、挿通口２２が閉じられ、筐体１００の防水を行うことができる。一方、電源部７０が本体空間ＳＢに収納されている場合には、防水カバー片４０が光ファイバートレイ３０に形成された保持部３１と嵌合することで、防水カバー片４０が、電源ケーブル７１の挿通口２２への挿通を妨げることがない。
【００５４】
（４）挟持溝５３の幅方向において、引込口５１の位置に対して、挟持溝５３の位置がずれているため、引込口５１から雨水等が浸入しても、仕切壁５４Ｂ，５４Ｄで跳ね返され、挟持溝５３を伝って内部に浸入しにくい。よって、防水性を向上させることができる。
【００５５】
（５）挟持溝５３の数よりも引込口５１の数を少なくしたことにより、引込口５１から挟持溝５３への雨水等の浸入がより抑制される。よって、防水性をさらに向上させることができる。
【００５６】
（他の実施形態）
以上、本発明を実施するための形態について説明したが、本発明は上述の実施形態に限定されることなく、種々変形して実施することができる。
【００５７】
（ａ）上記実施形態では、挿通口２２を、ケース本体部２０の外壁面２１Ａに形成された切欠部２２ａと、ケースカバー部１０の外壁面１１Ａに形成された切欠部２２ｂと、を組み合わせて形成しているが、これに限らない。挿通口２２は、外壁面２１Ａ及び外壁面１１Ａのいずれか一方に形成された孔であってもよい。
【００５８】
（ｂ）上記実施形態では、可動域制限部３５を光ファイバートレイ３０に形成したが、可動域制限部３５は、ケースカバー部１０やケース本体部２０に形成してもよい。
（ｃ）上記実施形態では、引込口５１の数を２つ、挟持溝５３の数を４つとしたが、これに限定されるものではなく、任意の数とすればよい。また、挟持溝５３の幅方向において、引込口５１に対して挟持溝５３の位置がずれていれば、引込口５１の数と挟持溝５３の数を同じ数にしてもよい。引込口５１と挟持溝５３の数が同じでも、位置がずれていれば防水効果が得られる。
【００５９】
（ｄ）上記実施形態では、光ファイバートレイ３０が防水カバー片４０とケーブルクリップ５０の両方を備えているが、一方のみを備えていてもよい。一方のみを備えていても、筐体１００の防水効果が得られる。また、筐体１００は、可動域制限部３５を備えていなくてもよい。
【００６０】
（ｅ）筐体１００の防水を目的としていない場合、例えば、筐体１００を屋内でしか使用しない場合には、光ファイバートレイ３０は、防水カバー片４０及びケーブルクリップ５０を備えず、可動域制限部３５を備えるだけでもよい。
【００６１】
（ｆ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６２】
（ｇ）上述した光受信機の筐体の他、当該光受信機の筐体を構成要素とする光受信機、光受信機の防水方法など、種々の形態で本発明を実現することもできる。
【符号の説明】
【００６３】
１０…ケースカバー部、２０…ケース本体部、２２…挿通口、３０…光ファイバートレイ、３５…可動域制限部、４０…防水カバー片、５０…ケーブルクリップ、５１…引込口、５３…挟持溝、５３Ａ…挟持溝、５３Ｂ…挟持溝、５３Ｃ…挟持溝、５３Ｄ…挟持溝、５４…仕切壁、５４Ａ…仕切壁、５４Ｂ…仕切壁、５４Ｃ…仕切壁、５４Ｄ…仕切壁、５４Ｅ…仕切壁、５５…ケーブルストッパー、６０…変換部、７０…電源部、７１…電源ケーブル、１００…筐体、ＳＡ…収納空間、ＳＢ…本体空間、Ｓ…隙間。
【図１】
0006663800.tif 000002
【図２】
0006663800.tif 000003
【図３】
0006663800.tif 000004
【図４】
0006663800.tif 000005
【図５】
0006663800.tif 000006
【図６】
0006663800.tif 000007
【図７】
0006663800.tif 000008
【図８】
0006663800.tif 000009
【図９】
0006663800.tif 000010
【図１０】
0006663800.tif 000011
【図１１】
0006663800.tif 000012
【図１２】
0006663800.tif 000013